(57)【要約】【課題】製造から販売に至る間において懸賞への応募のキーとなる応募番号を改竄することができず、また、販売時等においても正規の購入者以外に不正な行為で懸賞への応募のキーとなる応募番号を確認することができない透明な積層体からなる包装材を提供することである。【解決手段】基材フィルム層と内層に熱接着性樹脂層とを備えた透明な積層体からなり、前記基材フィルム層の前記熱接着性樹脂層側の面に印刷インキにより部分的に隠蔽層を設けて隠蔽領域を形成すると共に少なくとも前記隠蔽領域に白系ベタ印刷層を設け、前記隠蔽領域の前記白系ベタ印刷層上にインクジェットプリンターで識別文字列を印字したことを特徴とする包装材。【選択図】　　　　図４
2004018058.tif 000002
【特許請求の範囲】
【請求項１】
基材フィルム層と内層に熱接着性樹脂層とを備えた透明な積層体からなり、前記基材フィルム層の前記熱接着性樹脂層側の面に印刷インキにより部分的に隠蔽層を設けて隠蔽領域を形成すると共に少なくとも前記隠蔽領域に白系ベタ印刷層を設け、前記隠蔽領域の前記白系ベタ印刷層上にインクジェットプリンターで識別文字列を印字したことを特徴とする包装材。
【請求項２】
前記隠蔽層を設けた前記基材フィルム層面に絵柄印刷層が設けられ、前記隠蔽層が前記絵柄印刷層の一部を構成することを特徴とする請求項１記載の包装材。
【請求項３】
前記識別文字列が前記隠蔽層と同系色のインクで印字されていることを特徴とする請求項１、２のいずれかに記載の包装材。
【発明の詳細な説明】
【０００１】
【発明の属する技術分野】
本発明は、食品等の内容物を包装するために用いられる包装材に関し、さらに詳しくは、抽選番号などとして景品提供を行うことで販売促進に用いることができると共に表面側からの迷彩性と内層側からの視認性のある識別文字列を備えた包装材に関するものである。
【０００２】
【従来の技術】
従来から、食品等の内容物の販売促進を目的に食品等の内容物を包装する包装材などに懸賞機能を付与する手段が用いられている。この手段としては、たとえば、包装材の外側の表面に当たり外れ等の情報を印刷し、その上から隠蔽するための隠蔽印刷を施したり、粘着シールを貼着したりしている。そして、当たり外れ等の確認は前記隠蔽印刷をした部分を擦り取るなり、粘着シールを剥がし取ることにより当たり外れなどの情報を確認できるようになっている。
【０００３】
通常、このような包装材は、ピロータイプ、三方シールタイプ、四方シールタイプ、ガセットタイプ、スタンディングタイプ等の包装袋やブリスターパックやカップ状容器等の蓋材として供せられ、食品等の内容物が上記包装材で個包装された状態で販売され、当たり籤等の場合には包装材の全体、あるいは、「当たり」等の表示された部分を切り取るなりして、これを販売者等が指定した宛先に送り、懸賞に応募する方法が採られている。
【０００４】
上記方法は、販売者等が指定した宛先に送らない限りにおいては懸賞に応募できないために、販売者等にとっては個包装された包装材を指定された宛先に送った送付人のみが確実に懸賞に応募するために第３者が不正な手段で懸賞に応募することを防止できる。
【０００５】
しかしながら、この応募方法は、食品等の内容物が個包装された包装材の「当たり」等の表示された部分を切り取るなりして販売者等が指定した宛先に送るといった購入者にとっては結構煩雑で手間隙のかかるものである。近年、インターネットや携帯電話の普及が目覚しく、インターネットや携帯電話を利用した懸賞への応募方法が採用されつつある。
【０００６】
この場合、懸賞への応募のキーとなる応募番号として、不正に解読することができない識別文字列、たとえば、１２桁の乱数が用いられるが、この識別文字列を上記した方法で隠蔽した場合には、食品等の内容物が個包装された包装材の「当たり」等の表示された部分を切り取る等して懸賞に応募する方法とは異なり、たとえば、購入することなく隠蔽した部分を擦り取るなり、粘着シールを剥がし取るなりの不正な行為をして識別文字列を確認し、この確認情報で応募することができるために、販売者等や正規の購入者等から、このような不正な行為のできない包装材が要望されていた。
【０００７】
【発明が解決しようとする課題】
そこで本発明は、上記要望に応えてなされたものであって、製造から販売に至る間において懸賞への応募のキーとなる応募番号を改竄することができず、また、販売時等においても正規の購入者以外に不正な行為で懸賞への応募のキーとなる応募番号を確認することができない透明な積層体からなる包装材を提供することである。
【０００８】
【課題を解決するための手段】
本発明者は、上記課題を達成するために、請求項１記載の本発明の包装材は、基材フィルム層と内層に熱接着性樹脂層とを備えた透明な積層体からなり、前記基材フィルム層の前記熱接着性樹脂層側の面に印刷インキにより部分的に隠蔽層を設けて隠蔽領域を形成すると共に少なくとも前記隠蔽領域に白系ベタ印刷層を設け、前記隠蔽領域の前記白系ベタ印刷層上にインクジェットプリンターで識別文字列を印字したことを特徴とするものである。このように構成することにより、表面側からは確認することができないが内層側からのみ確認することができる識別文字列を備えた包装材とすることができると共に製造から販売に至る間においても改竄することができず、また、販売時においても正規の購入者以外に不正な行為のできない包装材とすることができる。さらに、インクジェットプリンターで識別文字列を印字する構成とすることにより、容易に乱数からなる識別文字列を生成することができる。
【０００９】
また、請求項２記載の本発明は、請求項１記載の包装材において、前記隠蔽層を設けた前記基材フィルム層面に絵柄印刷層が設けられ、前記隠蔽層が前記絵柄印刷層の一部を構成することを特徴とするものである。このように構成することにより、隠蔽層が絵柄印刷層に対して奇異なものとならないために意匠性に優れた包装材とすることができる。
【００１０】
また、請求項３記載の本発明は、請求項１、２のいずれかに記載の包装材において、前記識別文字列が前記隠蔽層と同系色のインクで印字されていることを特徴とするものである。このように構成することにより、種々の色調からなる隠蔽層を設けることができ、特に色々な絵柄印刷層に対応することができる。
【００１１】
【発明の実施の形態】
上記の本発明について、図面等を用いて以下に詳述する。
図１は本発明にかかる包装材の一実施例を示す平面図、図２は図１の要部拡大裏面図、図３は図１のＸ−Ｘ線断面図、図４は図１に示す包装材を用いて作製した包装袋の一実施例を示す一部透視斜視図であり、図中の１は包装材、１’は包装袋、２は背シール部、３は上・下端シール部、１０は基材フィルム層、２０は印刷層、２１は隠蔽層、２２は絵柄印刷層、２３は白ベタ印刷層、２４は識別文字列、３０は接着層、４０は熱接着性樹脂層、Ａは隠蔽領域をそれぞれ示す。
【００１２】
図１は本発明にかかる包装材の一実施例を示す平面図、図２は図１の要部拡大裏面図、図３は図１のＸ−Ｘ線断面図であって、包装材１は基材フィルム層１０の一方の面に墨色インキにより部分的に隠蔽層２１を設けて隠蔽領域Ａを形成すると共に前記隠蔽層２１を設けた面全面に絵柄印刷層２２と白ベタ印刷層２３を順次設けた印刷層２０を形成し、前記隠蔽層２１を設けた前記隠蔽領域Ａの前記白ベタ印刷層上にインクジェットプリンターで墨色インクを用いて識別文字列２４を印字し、前記印刷層２０と前記識別文字列２４を形成した面に接着層３０を介して熱接着性樹脂層４０を設けたものである。
【００１３】
図４は図１に示す包装材を用いて作製した包装袋の一実施例を示す一部透視斜視図であって、包装袋１’は合掌貼りした背シール部２と上・下端シール部３、３により密封されたピロータイプ包装袋であって、この包装袋１’は表面側からは直接的には前記隠蔽層２１で、また、間接的には前記絵柄印刷層２２、前記白ベタ印刷層２３、あるいは、内容物（図示せず）等により識別文字列２４を認識することができないように構成され、包装袋１’を開封することにより、初めて前記隠蔽層２１を設けた隠蔽領域Ａに印字された識別文字列２４を確認することができるように構成されている。また、前記識別文字列２４は前記基材フィルム層１０と前記熱接着性樹脂層４０との間に設けられているために、製造から販売に至る間においても改竄することができず、また、販売時においても正規の購入者以外に不正な行為で確認することができないようになっている。
【００１４】
前記基材フィルム層１０としては、包装材１の基材となる層であり、機械的、物理的、化学的等において優れた性質を有する合成樹脂製フィルムを用いることができ、たとえば、ポリエステル系、ポリアミド系、ポリプロピレン系等の樹脂からなる二軸方向に延伸した延伸フィルムないしこれらの少なくとも一方の面に酸化珪素や酸化アルミニウム、あるいは、ポリ塩化ビニリデン等の透明な水蒸気や酸素ガスバリアー層を設けたものを使用することができる。フィルムの厚さとしては基材層としての強度、剛性などについて必要最低限に保持され得る厚さであればよく、コストなどを勘案して決めればよい。
【００１５】
また、前記熱接着性樹脂層４０としては、熱により溶融し相互に溶着し得る熱接着性樹脂から形成された層であればよく、包装材に要求される物性により適宜選択して用いればよく、たとえば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、エチレン−ビニルアルコール共重合体、アイオノマー樹脂、エチレン−アクリル酸共重合体、エチレン−アクリル酸メチル共重合体、エチレン−メタクリル酸共重合体等のオレフィン系樹脂の他、ポリエステル、ポリアミド、ポリアクリロニトリル等の樹脂の一種ないしそれ以上からなる樹脂ないしこれらをフィルム化した単層ないし多層化したものなどを挙げることができる。
【００１６】
また、前記印刷層２０としては、前記基材フィルム層１０に用いる合成樹脂製フィルムの種類により適宜ビヒクルを選定し、これに顔料、溶剤、各種補助剤等を加えてインキ化したものを用いて、グラビア印刷法等の周知の印刷法で印刷することにより形成することができる。
【００１７】
また、前記識別文字列２４としては、周知のインクジェットプリンターを用いてインクジェットプリンター用染料タイプないし顔料タイプのインクを用いて印字することにより形成することができる。なお、実施例においては、識別文字列２４をアラビア数字としたが、これについても、アルファベットであってもよいし、また、これらのミックスからなるものであってもよいものである。
【００１８】
また、前記接着層３０としては、前記基材フィルム層１０の前記印刷層２０および前記識別文字列を形成した面と前記熱接着性樹脂層４０とを周知のドライラミネーション法で積層する際の、たとえば、ポリウレタン系等の周知の接着剤層がこれに当たるし、また、前記基材フィルム層１０の前記印刷層２０および前記識別文字列を形成した面と前記熱接着性樹脂層４０とをＴダイ押出機を用いて行う周知のサンドイッチラミネーション法で積層する際の、アンカー剤層および加熱溶融押出しされたポリエチレン等の樹脂層がこれに当たる。また、前記基材フィルム層１０の前記印刷層２０および前記識別文字列を形成した面にＴダイ押出機を用いて溶融押出しされたポリエチレン等の樹脂により前記熱接着性樹脂層４０を形成する際の、アンカー剤層がこれに当たる。なお、前記接着剤層および前記アンカー剤層は、有機溶剤系からなる接着剤およびアンカ−剤で形成してもよいが、水性接着剤および水性アンカ−剤で形成するのがインクジェットプリンターで印字した識別文字列が滲む虞がないことから好ましい。
【００１９】
また、本発明の包装材１は、前記基材フィルム層１０と前記熱接着性樹脂層４０との間に包装材１に要求される物性により、必要に応じて前記基材フィルム層１０で説明したプレーンな合成樹脂製フィルムや水蒸気や酸素ガスバリアー層を有する合成樹脂製フィルム、あるいは、エチレン−酢酸共重合体ケン化物等を設けて包装材１の機械的強靭性、耐屈曲性、耐突き刺し性、耐衝撃性、耐寒性、耐熱性、耐薬品性、バリアー性等の機能を付与ないし向上させてもよいものである。
【００２０】
なお、本発明の包装材１は、実施形態においては隠蔽層２１を墨色インキにより絵柄印刷層２２とは別に設けたが、図示はしないが、たとえば、絵柄印刷層２１に識別文字列２４を設けることができる程度の面積（領域）を有する隠蔽性のあるベタ柄が存在する場合には、このベタ柄を隠蔽層として利用し、このベタ柄の色調と同じ色調のインクジェットプリンター用インクを用いて印字してもよいものである。このように構成することにより、絵柄印刷層２１と意匠において奇異に写る隠蔽層２１を設ける必要がなく、意匠性に優れた包装材とすることができる。
【００２１】
また、本発明の包装材１は、ピロータイプ包装袋に限ることはなく、図示はしないが、三方シールや四方シールタイプ、あるいは、ガセットタイプ、スタンディングタイプ等の周知の包装袋に適用することができるし、また、ブリスターパックやカップ状容器等の蓋材にも適用することができるものである。
【００２２】
【発明の効果】
以上縷々説明したように、本発明の透明な積層体からなる包装材は、製造から販売に至る間において懸賞への応募のキーとなる応募番号を改竄することができず、また、販売時等においても正規の購入者以外に不正な行為で懸賞への応募のキーとなる応募番号を確認することができないという優れた効果を奏するものである。
【図面の簡単な説明】
【図１】本発明にかかる包装材の一実施例を示す平面図である。
【図２】図１の要部拡大裏面図である。
【図３】図１のＸ−Ｘ線断面図である。
【図４】図１に示す包装材を用いて作製した包装袋の一実施例を示す一部透視斜視図である。
【符号の説明】
１　　　　　　　　　　　　　　包装材
１’　　　　　　　　　　　　　包装袋
２　　　　　　　　　　　　　　背シール部
３　　　　　　　　　　　　　　上・下端シール部
１０　　　　　　　　　　　　　基材フィルム層
２０　　　　　　　　　　　　　印刷層
２１　　　　　　　　　　　　　隠蔽層
２２　　　　　　　　　　　　　絵柄印刷層
２３　　　　　　　　　　　　　白ベタ印刷層
２４　　　　　　　　　　　　　識別文字列
３０　　　　　　　　　　　　　接着層
４０　　　　　　　　　　　　　熱接着性樹脂層
Ａ　　　　　　　　　　　　　　隠蔽領域
【図１】
2004018058.tif 000003
【図２】
2004018058.tif 000004
【図３】
2004018058.tif 000005
【図４】
2004018058.tif 000006